(57)【要約】【課題】帳票を月別に容易に分類整理することができるようにした、帳票を月別に識別する手段を備えた帳票を提供する。【解決手段】種々の情報を記入する情報記入部３を備えた帳票１において、  帳票を月別に識別する手段として月毎に異なる色彩を表示した色彩表示部５を設けたことを特徴とする帳票。前記色彩表示部は日毎に位置が異なる。前記色彩表示部内に日を表す文字を付する。前記色彩表示部は、月毎に異なる色彩により表示した月を表す文字よりなる。前記色彩表示部は、月毎に異なる色彩により表示した月を表す文字と日を表す文字とよりなる。種々の情報を記入する情報記入部を備えた帳票において、帳票を月別に識別する手段として月毎に異なる図形を表示した図形表示部を設けたことを特徴とする帳票。【選択図】図１
0003126949.tif 000002
【実用新案登録請求の範囲】
【請求項１】
種々の情報を記入する情報記入部を備えた帳票において、
帳票を月別に識別する手段として月毎に異なる色彩を表示した色彩表示部を設けたことを特徴とする帳票。
【請求項２】
前記色彩表示部は日毎に位置が異なることを特徴とする請求項１に記載の帳票。
【請求項３】
前記色彩表示部内に日を表す文字を付したことを特徴とする請求項１又は２に記載の帳票。
【請求項４】
前記色彩表示部は、月毎に異なる色彩により表示した月を表す文字よりなることを特徴とする請求項１又は２に記載の帳票。
【請求項５】
前記色彩表示部は、月毎に異なる色彩により表示した月を表す文字と日を表す文字とよりなることを特徴とする請求項１又は２に記載の帳票。
【請求項６】
種々の情報を記入する情報記入部を備えた帳票において、
帳票を月別に識別する手段として月毎に異なる図形を表示した図形表示部を設けたことを特徴とする帳票。
【請求項７】
前記図形表示部は日毎に位置が異なることを特徴とする請求項６に記載の帳票。
【請求項８】
前記図形表示部内に日を表す文字を付したことを特徴とする請求項６又は７に記載の帳票。
【請求項９】
種々の情報を記入する情報記入部を備えた帳票において、
帳票を月別に識別する手段として月を表す文字と共に日を表す文字を表示する月日表示部を設けたことを特徴とする帳票。
【請求項１０】
種々の情報を記入する情報記入部を備えた帳票において、
該情報記入部は、帳票を月別に識別する手段として月毎に異なる色彩により表示した罫線を有することを特徴とする帳票。
【考案の詳細な説明】
【技術分野】
【０００１】
本考案は、帳簿、伝票等の帳票に関するものである。
【背景技術】
【０００２】
帳票としては、例えば実用新案登録第３０７３４２２号公報に示すように、種々の情報を記入する情報記入部を備えてなるものが従来より広く知られている。
【特許文献１】実用新案登録第３０７３４２２号公報
【考案の開示】
【考案が解決しようとする課題】
【０００３】
帳票は、一般に、各年の月別に分類整理され、処理されるのであるが、上記従来の帳票においては、帳票を月別に識別する手段として専ら「１月」「２月」「３月」等の月名を表す文字を各帳票に表示しているにとどまる。
【０００４】
即ち、帳票を月別に識別する手段として、例えば１月分の帳票については、「１月」の文字を該帳票に表示している。
【０００５】
しかるに、帳票を月別に識別する手段としての月名を表す文字は、必ずしも見やすいものではなく、帳票を月別に分類整理する際には十分に役立つものとは言い難い。
【０００６】
このような状況に鑑み、本考案は、帳票を月別に容易に分類整理することができるようにした、帳票を月別に識別する手段を備えた帳票を提供しようとしてなされたものである。
【課題を解決するための手段】
【０００７】
上記課題を解決するために、本考案は、下記の帳票を提供する。
【０００８】
（１）種々の情報を記入する情報記入部を備えた帳票において、
帳票を月別に識別する手段として月毎に異なる色彩を表示した色彩表示部を設けたことを特徴とする帳票（請求項１）。
【０００９】
（２）前記色彩表示部は日毎に位置が異なる（請求項２）。
【００１０】
（３）前記色彩表示部内に日を表す文字を付する（請求項３）。
【００１１】
（４）前記色彩表示部は、月毎に異なる色彩により表示した月を表す文字よりなる（請求項４）。
【００１２】
（５）前記色彩表示部は、月毎に異なる色彩により表示した月を表す文字と日を表す文字とよりなる（請求項５）。
【００１３】
（６）種々の情報を記入する情報記入部を備えた帳票において、
帳票を月別に識別する手段として月毎に異なる図形を表示した図形表示部を設けたことを特徴とする帳票（請求項６）。
【００１４】
（７）前記図形表示部は日毎に位置が異なる（請求項７）。
【００１５】
（８）前記図形表示部内に日を表す文字を付する（請求項８）。
【００１６】
（９）種々の情報を記入する情報記入部を備えた帳票において、
帳票を月別に識別する手段として月を表す文字と共に日を表す文字を表示する月日表示部を設けたことを特徴とする帳票（請求項９）。
【００１７】
（１０）種々の情報を記入する情報記入部を備えた帳票において、
該情報記入部は、帳票を月別に識別する手段として月毎に異なる色彩により表示した罫線を有することを特徴とする帳票（請求項１０）。
【考案の効果】
【００１８】
［請求項１の考案］
帳票を月別に識別する手段として月毎に異なる色彩を表示した色彩表示部を帳票に備えさせているため、該色彩表示部の色彩により帳票を月別に仕分けする作業が極めて容易になる。
【００１９】
［請求項２の考案］
色彩表示部は日毎に位置が異なるため、該色彩表示部の位置により帳票を各月内における日付順に整理する作業が極めて容易になる。
【００２０】
［請求項３の考案］
色彩表示部内に日を表す文字を付したため、該色彩表示部内の文字により帳票を各月内における日付順に整理する作業が極めて容易になる。
【００２１】
［請求項４の考案］
色彩表示部は、月毎に異なる色彩により表示した月を表す文字よりなるため、該色彩表示部を構成する文字の色彩と該文字が表す月名とにより帳票を月別に仕分けする作業が一層容易になる。
【００２２】
［請求項５の考案］
色彩表示部は、月毎に異なる色彩により表示した月を表す文字と日を表す文字とよりなるため、該色彩表示部を構成する各文字の色彩と該文字が表す月名と日付とにより帳票を月別に仕分けすると共に帳票を各月内における日付順に整理する作業が極めて容易になる。
【００２３】
［請求項６の考案］
帳票を月別に識別する手段として月毎に異なる図形を表示した図形表示部を帳票に備えさせているため、該図形表示部の図形により帳票を月別に仕分けする作業が極めて容易になる。
【００２４】
［請求項７の考案］
図形表示部は日毎に位置が異なるため、該図形表示部の位置により帳票を各月内における日付順に整理する作業が極めて容易になる。
【００２５】
［請求項８の考案］
図形表示部内に日を表す文字を付したため、該図形表示部内の文字により帳票を各月内における日付順に整理する作業が極めて容易になる。
【００２６】
［請求項９の考案］
帳票を月別に識別する手段として月を表す文字と共に日を表す文字を表示する月日表示部を帳票に備えさせたため、該文字が表す月名と日付とにより帳票を月別に仕分けすると共に帳票を各月内における日付順に整理する作業が極めて容易になる。
【００２７】
［請求項１０の考案］
情報記入部は、帳票を月別に識別する手段として月毎に異なる色彩により表示した罫線を有するため、該罫線の色彩により帳票を月別に仕分けする作業が極めて容易になる。
【考案を実施するための最良の形態】
【００２８】
本考案における帳票１は、種々の情報を記入する情報記入部３を備えている。
【００２９】
情報記入部３には、帳票１の種類により、例えば、会社名、商品名、金額、数量、日付等の情報が記入される。
【００３０】
帳票１には、帳票を月別に識別する手段として月毎に異なる色彩を表示した色彩表示部５を備えさせる。図１〜図１８参照。
【００３１】
月毎に異なる色彩とは、例えば、１月は赤色、２月は黄色、３月は緑色等である。
【００３２】
色彩表示部５は、帳票１における所望の位置に備えさせるのであるが、各月における日毎に位置が異なるように配設してもよい。
【００３３】
例えば、図１〜図３に示す事例においては、色彩表示部５は、各月の１日については帳票１の上縁における左端（図１）、２日については帳票１の上縁における１日の右隣（図２）、３日については帳票１の上縁における２日の右隣（図３）にそれぞれ設ける。
【００３４】
図４〜図５に示す事例においては、色彩表示部５は、各月の１日については帳票１の左縁における上端（図４）、２日については帳票１の左縁における１日の下隣（図５）、３日については帳票１の左縁における２日の下隣（図６）にそれぞれ設ける。
【００３５】
図７〜図９に示す事例においては、色彩表示部５は、各月の１日については帳票１の右縁における上端（図７）、２日については帳票１の右縁における１日の下隣（図８）、３日については帳票１の右縁における２日の下隣（図９）にそれぞれ設ける。
【００３６】
図１０〜図１２は、二枚の帳票１ａ、１ｂが切り取り線７を介して連続形成されている事例を示す。
【００３７】
図１０〜図１２に示す事例においては、各帳票１ａ、１ｂの色彩表示部５ａ、５ｂは切り取り線７を介して連続形成されている。
【００３８】
即ち、色彩表示部５ａ、５ｂは、各月の１日については帳票１ａ、１ｂにおける切り取り線７に臨む縁の左端（図１０）、２日については帳票１ａ、１ｂにおける切り取り線７に臨む縁における１日の右隣（図１１）、３日については帳票１ａ、１ｂにおける切り取り線７に臨む縁における２日の右隣（図１２）にそれぞれ設ける。
【００３９】
図１３〜図１５は、各帳票１に二つの色彩表示部５、５を備えさせた事例を示す。
【００４０】
即ち、色彩表示部５は、各月の１日については帳票１の左右各縁における上端（図１３）、２日については帳票１の左右各縁における１日の下隣（図１４）、３日については帳票１の左右各縁における２日の下隣（図１５）にそれぞれ設ける。
【００４１】
図１６〜図１８は、各帳票１に四つの色彩表示部５、５、５、５を備えさせた事例を示す。
【００４２】
即ち、色彩表示部５は、各月の１日については帳票１の四隅に設け（図１６）、以後２日、３日・・・については帳票１の各縁における中央寄りの位置に順次ずらす。
【００４３】
前記色彩表示部５内に日を表す文字９を付する。
【００４４】
図１９に示す事例においては、図１に示す色彩表示部５内に「１日」を表す文字「１」９ａを付している。
【００４５】
図２０に示す事例においては、図２に示す色彩表示部５内に「２日」を表す文字「２」９ｂを付している。
【００４６】
図２１に示す事例においては、図３に示す色彩表示部５内に「３日」を表す文字「３」９ｃを付している。
【００４７】
図２２に示す事例においては、図４に示す色彩表示部５内に「１日」を表す文字「１」９ａを付している。
【００４８】
図２３に示す事例においては、図５に示す色彩表示部５内に「２日」を表す文字「２」９ｂを付している。
【００４９】
図２４に示す事例においては、図６に示す色彩表示部５内に「３日」を表す文字「３」９ｃを付している。
【００５０】
図２５に示す事例においては、図１０に示す色彩表示部５ａ、５ｂ内にそれぞれ「１日」を表す文字「１」９ａ、９ａを付している。
【００５１】
図２６に示す事例においては、図１１に示す色彩表示部５ａ、５ｂ内にそれぞれ「２日」を表す文字「２」９ｂ、９ｂを付している。
【００５２】
図２７に示す事例においては、図１２に示す色彩表示部５ａ、５ｂ内にそれぞれ「３日」を表す文字「３」９ｃ、９ｃを付している。
【００５３】
図２８に示す事例においては、図１３に示す色彩表示部５、５内にそれぞれ「１日」を表す文字「１」９ａ、９ａを付している。
【００５４】
図２９に示す事例においては、図１４に示す色彩表示部５、５内にそれぞれ「２日」を表す文字「２」９ｂ、９ｂを付している。
【００５５】
図３０に示す事例においては、図１５に示す色彩表示部５、５内にそれぞれ「３日」を表す文字「３」９ｃ、９ｃを付している。
【００５６】
図３１に示す事例においては、図１６に示す色彩表示部５、５、５、５内にそれぞれ「１日」を表す文字「１」９ａ、９ａ、９ａ、９ａを付している。
【００５７】
図３２に示す事例においては、図１７に示す色彩表示部５、５、５、５内にそれぞれ「２日」を表す文字「２」９ｂ、９ｂ、９ｂ、９ｂを付している。
【００５８】
図３３に示す事例においては、図１８に示す色彩表示部５、５、５、５内にそれぞれ「３日」を表す文字「３」９ｃ、９ｃ、９ｃ、９ｃを付している。
【００５９】
前記色彩表示部５は、月毎に異なる色彩により表示した月を表す文字１１よりなるものであってもよい。
【００６０】
月毎に異なる色彩とは、例えば、１月は赤色、２月は黄色、３月は緑色等である。
【００６１】
図３４に示す事例においては、色彩表示部５として、「４月」を表す青色により表示した「４」の文字１１を用いている。
【００６２】
前記色彩表示部５は、月毎に異なる色彩により表示した月を表す文字１１と日を表す文字１３とよりなるものであってもよい。
【００６３】
図３５に示す事例においては、色彩表示部５として、「１月」を表す赤色により表示した「１月」の文字１１と「１月」を表す赤色により表示した「１日」の文字１３とを用いている。
【００６４】
図３６〜図３８に示す事例においては、帳票１を月別に識別する手段として月毎に異なる図形を表示した図形表示部１５を設けている。
【００６５】
月毎に異なる図形とは、例えば、１月は三角形、２月は五角形、３月は楕円形等である。
【００６６】
図形表示部１５は、帳票１における所望の位置に備えさせるのであるが、各月における日毎に位置が異なるように配設してもよい。
【００６７】
例えば、図形表示部１５は、各月の１日については帳票１の上縁における左端（図３６）、２日については帳票１の上縁における１日の右隣（図３７）、３日については帳票１の上縁における２日の右隣（図３８）にそれぞれ設ける。
【００６８】
図３９〜図４１に示す事例においては、図形表示部１５内に日を表す文字１７を付している。
【００６９】
図３９に示す事例においては、図形表示部１５内に「１日」を表す文字「１」１７ａを付している。
【００７０】
図４０に示す事例においては、図形表示部１５内に「２日」を表す文字「２」１７ｂを付している。
【００７１】
図４１に示す事例においては、図形表示部１５内に「３日」を表す文字「３」１７ｃを付している。
【００７２】
図４２〜図５０に示す事例においては、帳票１を月別に識別する手段として月を表す文字１９と共に日を表す文字２１を表示する月日表示部２３を設けている。
【００７３】
図４２に示す事例においては、１月を表す文字「１」１９ａと共に１日を表す文字「１」２１ａを表示する月日表示部２３を設けている。
【００７４】
図４３に示す事例においては、１月を表す文字「１」１９ａと共に２日を表す文字「２」２１ｂを表示する月日表示部２３を設けている。
【００７５】
図４４に示す事例においては、１月を表す文字「１」１９ａと共に３日を表す文字「３」２１ｃを表示する月日表示部２３を設けている。
【００７６】
図４５に示す事例においては、１月を表す文字「１」１９ａと共に１日を表す文字「１」２１ａを表示する月日表示部２３を帳票１における上側の二隅に設けている。
【００７７】
図４６に示す事例においては、１月を表す文字「１」１９ａと共に２日を表す文字「２」２１ｂを表示する月日表示部２３を帳票１における上側の二隅に設けている。
【００７８】
図４７に示す事例においては、１月を表す文字「１」１９ａと共に３日を表す文字「３」２１ｃを表示する月日表示部２３を帳票１における上側の二隅に設けている。
【００７９】
図４８に示す事例においては、１月を表す文字「１」１９ａと共に１日を表す文字「１」２１ａを表示する月日表示部２３を帳票１における四隅に設けている。
【００８０】
図４９に示す事例においては、１月を表す文字「１」１９ａと共に２日を表す文字「２」２１ｂを表示する月日表示部２３を帳票１における四隅に設けている。
【００８１】
図５０に示す事例においては、１月を表す文字「１」１９ａと共に３日を表す文字「３」２１ｃを表示する月日表示部２３を帳票１における四隅に設けている。
【００８２】
図５１に示す事例においては、情報記入部３は、帳票１を月別に識別する手段として月毎に異なる色彩により表示した罫線２５を有する。
【００８３】
月毎に異なる色彩とは、例えば、１月は赤色、２月は黄色、３月は緑色等である。
【図面の簡単な説明】
【００８４】
【図１】本考案による帳票の一例を示す斜視図である。
【図２】同上の別の一例を示す斜視図である。
【図３】同上の更に別の一例を示す斜視図である。
【図４】同上の更に別の一例を示す斜視図である。
【図５】同上の更に別の一例を示す斜視図である。
【図６】同上の更に別の一例を示す斜視図である。
【図７】同上の更に別の一例を示す斜視図である。
【図８】同上の更に別の一例を示す斜視図である。
【図９】同上の更に別の一例を示す斜視図である。
【図１０】同上の更に別の一例を示す斜視図である。
【図１１】同上の更に別の一例を示す斜視図である。
【図１２】同上の更に別の一例を示す斜視図である。
【図１３】同上の更に別の一例を示す斜視図である。
【図１４】同上の更に別の一例を示す斜視図である。
【図１５】同上の更に別の一例を示す斜視図である。
【図１６】同上の更に別の一例を示す斜視図である。
【図１７】同上の更に別の一例を示す斜視図である。
【図１８】同上の更に別の一例を示す斜視図である。
【図１９】同上の更に別の一例を示す斜視図である。
【図２０】同上の更に別の一例を示す斜視図である。
【図２１】同上の更に別の一例を示す斜視図である。
【図２２】同上の更に別の一例を示す斜視図である。
【図２３】同上の更に別の一例を示す斜視図である。
【図２４】同上の更に別の一例を示す斜視図である。
【図２５】同上の更に別の一例を示す斜視図である。
【図２６】同上の更に別の一例を示す斜視図である。
【図２７】同上の更に別の一例を示す斜視図である。
【図２８】同上の更に別の一例を示す斜視図である。
【図２９】同上の更に別の一例を示す斜視図である。
【図３０】同上の更に別の一例を示す斜視図である。
【図３１】同上の更に別の一例を示す斜視図である。
【図３２】同上の更に別の一例を示す斜視図である。
【図３３】同上の更に別の一例を示す斜視図である。
【図３４】同上の更に別の一例を示す斜視図である。
【図３５】同上の更に別の一例を示す斜視図である。
【図３６】同上の更に別の一例を示す斜視図である。
【図３７】同上の更に別の一例を示す斜視図である。
【図３８】同上の更に別の一例を示す斜視図である。
【図３９】同上の更に別の一例を示す斜視図である。
【図４０】同上の更に別の一例を示す斜視図である。
【図４１】同上の更に別の一例を示す斜視図である。
【図４２】同上の更に別の一例を示す斜視図である。
【図４３】同上の更に別の一例を示す斜視図である。
【図４４】同上の更に別の一例を示す斜視図である。
【図４５】同上の更に別の一例を示す斜視図である。
【図４６】同上の更に別の一例を示す斜視図である。
【図４７】同上の更に別の一例を示す斜視図である。
【図４８】同上の更に別の一例を示す斜視図である。
【図４９】同上の更に別の一例を示す斜視図である。
【図５０】同上の更に別の一例を示す斜視図である。
【図５１】同上の更に別の一例を示す斜視図である。
【符号の説明】
【００８５】
１  帳票
１ａ  帳票
１ｂ  帳票
３  情報記入部
５  色彩表示部
５ａ  色彩表示部
５ｂ  色彩表示部
７  切り取り線
９  日を表す文字
９ａ  １日を表す文字
９ｂ  ２日を表す文字
９ｃ  ３日を表す文字
１１  月を表す文字
１３  日を表す文字
１５  図形表示部
１７  日を表す文字
１７ａ  １日を表す文字
１７ｂ  ２日を表す文字
１７ｃ  ３日を表す文字
１９  月を表す文字
１９ａ  １月を表す文字
２１  日を表す文字
２１ａ  １日を表す文字
２１ｂ  ２日を表す文字
２１ｃ  ３日を表す文字
２３  月日表示部
２５  罫線
【図１】
0003126949.tif 000003
【図２】
0003126949.tif 000004
【図３】
0003126949.tif 000005
【図４】
0003126949.tif 000006
【図５】
0003126949.tif 000007
【図６】
0003126949.tif 000008
【図７】
0003126949.tif 000009
【図８】
0003126949.tif 000010
【図９】
0003126949.tif 000011
【図１０】
0003126949.tif 000012
【図１１】
0003126949.tif 000013
【図１２】
0003126949.tif 000014
【図１３】
0003126949.tif 000015
【図１４】
0003126949.tif 000016
【図１５】
0003126949.tif 000017
【図１６】
0003126949.tif 000018
【図１７】
0003126949.tif 000019
【図１８】
0003126949.tif 000020
【図１９】
0003126949.tif 000021
【図２０】
0003126949.tif 000022
【図２１】
0003126949.tif 000023
【図２２】
0003126949.tif 000024
【図２３】
0003126949.tif 000025
【図２４】
0003126949.tif 000026
【図２５】
0003126949.tif 000027
【図２６】
0003126949.tif 000028
【図２７】
0003126949.tif 000029
【図２８】
0003126949.tif 000030
【図２９】
0003126949.tif 000031
【図３０】
0003126949.tif 000032
【図３１】
0003126949.tif 000033
【図３２】
0003126949.tif 000034
【図３３】
0003126949.tif 000035
【図３４】
0003126949.tif 000036
【図３５】
0003126949.tif 000037
【図３６】
0003126949.tif 000038
【図３７】
0003126949.tif 000039
【図３８】
0003126949.tif 000040
【図３９】
0003126949.tif 000041
【図４０】
0003126949.tif 000042
【図４１】
0003126949.tif 000043
【図４２】
0003126949.tif 000044
【図４３】
0003126949.tif 000045
【図４４】
0003126949.tif 000046
【図４５】
0003126949.tif 000047
【図４６】
0003126949.tif 000048
【図４７】
0003126949.tif 000049
【図４８】
0003126949.tif 000050
【図４９】
0003126949.tif 000051
【図５０】
0003126949.tif 000052
【図５１】
0003126949.tif 000053
【手続補正書】
【提出日】平成18年9月13日(2006.9.13)
【手続補正１】
【補正対象書類名】実用新案登録請求の範囲
【補正対象項目名】全文
【補正方法】変更
【補正の内容】
【実用新案登録請求の範囲】
【請求項１】
種々の情報を記入する情報記入部を備えた帳票において、
帳票を月別に識別する手段として月毎に異なる色彩を表示した色彩表示部を設けた長方形状の帳票。
【請求項２】
前記色彩表示部は日毎に位置が異なることを特徴とする請求項１に記載の長方形状の帳票。
【請求項３】
前記色彩表示部内に日を表す文字を付したことを特徴とする請求項１又は２に記載の長方形状の帳票。
【請求項４】
前記色彩表示部は、月毎に異なる色彩により表示した月を表す文字よりなることを特徴とする請求項１又は２に記載の長方形状の帳票。
【請求項５】
前記色彩表示部は、月毎に異なる色彩により表示した月を表す文字と日を表す文字とよりなることを特徴とする請求項１又は２に記載の長方形状の帳票。
【請求項６】
種々の情報を記入する情報記入部を備えた帳票において、
帳票を月別に識別する手段として月毎に異なる図形を表示した図形表示部を設けた長方形状の帳票。
【請求項７】
前記図形表示部は日毎に位置が異なることを特徴とする請求項６に記載の長方形状の帳票。
【請求項８】
前記図形表示部内に日を表す文字を付したことを特徴とする請求項６又は７に記載の長方形状の帳票。
【請求項９】
種々の情報を記入する情報記入部を備えた帳票において、
帳票を月別に識別する手段として月を表す文字と共に日を表す文字を表示する月日表示部を設けた長方形状の帳票。
【請求項１０】
種々の情報を記入する情報記入部を備えた帳票において、
該情報記入部は、帳票を月別に識別する手段として月毎に異なる色彩により表示した罫線を有する長方形状の帳票。